(57)【要約】【課題】認証率の向上を図ることが可能な生体認証装置を提供すること。【解決手段】この発明の生体認証装置は、異なる複数の環境条件において登録された複数の生体特徴情報を取得する取得手段と、認証対象者から生体特徴情報を読み取る読取手段と、前記取得手段により取得された登録済みの複数の生体特徴情報と前記読取手段により読み取られた生体特徴情報とを比較し、少なくとも一つの登録済み生体特徴情報と読み取られた生体特徴情報との類似度が所定の閾値より高いことを条件として、前記認証対象者を認証する認証手段とを備えている。【選択図】      図１
2006285768.tif 000002
【特許請求の範囲】
【請求項１】
異なる複数の環境条件において登録された複数の生体特徴情報を取得する取得手段と、
認証対象者から生体特徴情報を読み取る読取手段と、
前記取得手段により取得された登録済みの複数の生体特徴情報と前記読取手段により読み取られた生体特徴情報とを比較し、少なくとも一つの登録済み生体特徴情報と読み取られた生体特徴情報との類似度が所定の閾値より高いことを条件として、前記認証対象者を認証する認証手段と、
を備えたことを特徴とする生体認証装置。
【請求項２】
異なる複数の環境条件及び異なる複数の押圧条件において登録された複数の指紋特徴情報を取得する取得手段と、
認証対象者から指紋特徴情報を読み取る読取手段と、
前記取得手段により取得された登録済みの複数の指紋特徴情報と前記読取手段により読み取られた指紋特徴情報とを比較し、少なくとも一つの登録済み指紋特徴情報と読み取られた指紋特徴情報との類似度が所定の閾値より高いことを条件として、前記認証対象者を認証する認証手段と、
を備えたことを特徴とする生体認証装置。
【請求項３】
異なる複数の環境条件及び異なる複数の押圧条件において登録された複数の指紋特徴情報、指の温度情報、及び指の水分量情報を取得する取得手段と、
認証対象者から指紋特徴情報、指の温度情報、及び指の水分量情報を読み取る読取手段と、
前記取得手段により取得された登録済みの複数の指紋特徴情報と前記読取手段により読み取られた指紋特徴情報とを比較し、少なくとも一つの登録済み指紋特徴情報と読み取られた指紋特徴情報との類似度が所定の閾値より高いことを条件として、前記認証対象者を認証する認証手段と、
前記認証手段により認証されたことを条件として、前記読取手段により読み取られた指の温度情報及び指の水分量情報に基づいて類似する登録済み指紋特量情報を検索し、読み取られた指紋特徴情報の画質と検索された登録済み指紋特徴情報の画質とを比較し、比較結果に基づいて読み取られた指紋特徴情報により検索された登録済み指紋特徴情報を更新する更新手段と、
を備えたことを特徴とする生体認証装置。
【請求項４】
異なる複数の環境条件及び異なる複数の押圧条件において登録された複数の指紋特徴情報、指の温度情報、及び指の水分量情報を取得する取得手段と、
認証対象者から指紋特徴情報、指の温度情報、及び指の水分量情報を読み取る読取手段と、
前記取得手段により取得された登録済みの複数の指紋特徴情報と前記読取手段により読み取られた指紋特徴情報とを比較し、少なくとも一つの登録済み指紋特徴情報と読み取られた指紋特徴情報との類似度が所定の閾値より高いことを条件として、前記認証対象者を認証する認証手段と、
前記認証手段により認証されたことを条件として、前記読取手段により読み取られた指の温度情報及び指の水分量情報に基づいて類似する登録済み指紋特量情報を検索し、読み取られた指紋特徴情報に含まれる特徴点の数と検索された登録済み指紋特徴情報に含まれる特徴点の数とを比較し、読み取られた指紋特徴情報に含まれる特徴点の数が検索された登録済み指紋特徴情報に含まれる特徴点の数より多いことに基づいて読み取られた指紋特徴情報により検索された登録済み指紋特徴情報を更新する更新手段と、
を備えたことを特徴とする生体認証装置。
【請求項５】
異なる複数の環境条件において複数の生体特徴情報を登録する登録手段と、
前記登録手段により登録された複数の生体特徴情報を取得する取得手段と、
認証対象者から生体特徴情報を読み取る読取手段と、
前記取得手段により取得された登録済みの複数の生体特徴情報と前記読取手段により読み取られた生体特徴情報とを比較し、少なくとも一つの登録済み生体特徴情報と読み取られた生体特徴情報との類似度が所定の閾値より高いことを条件として、前記認証対象者を認証する認証手段と、
を備えたことを特徴とする生体認証システム。
【請求項６】
異なる複数の環境条件及び異なる複数の押圧条件において複数の指紋特徴情報を登録する登録手段と、
前記登録手段により登録された複数の指紋特徴情報を取得する取得手段と、
認証対象者から指紋特徴情報を読み取る読取手段と、
前記取得手段により取得された登録済みの複数の指紋特徴情報と前記読取手段により読み取られた指紋特徴情報とを比較し、少なくとも一つの登録済み指紋特徴情報と読み取られた指紋特徴情報との類似度が所定の閾値より高いことを条件として、前記認証対象者を認証する認証手段と、
を備えたことを特徴とする生体認証システム。
【請求項７】
異なる複数の環境条件及び異なる複数の押圧条件において複数の指紋特徴情報、指の温度情報、及び指の水分量情報を登録する登録手段と、
前記登録手段により登録された複数の指紋特徴情報、指の温度情報、及び指の水分量情報を取得する取得手段と、
認証対象者から指紋特徴情報、指の温度情報、及び指の水分量情報を読み取る読取手段と、
前記取得手段により取得された登録済みの複数の指紋特徴情報と前記読取手段により読み取られた指紋特徴情報とを比較し、少なくとも一つの登録済み指紋特徴情報と読み取られた指紋特徴情報との類似度が所定の閾値より高いことを条件として、前記認証対象者を認証する認証手段と、
前記認証手段により認証されたことを条件として、前記読取手段により読み取られた指の温度情報及び指の水分量情報に基づいて類似する登録済み指紋特量情報を検索し、読み取られた指紋特徴情報の画質と検索された登録済み指紋特徴情報の画質とを比較し、比較結果に基づいて読み取られた指紋特徴情報により検索された登録済み指紋特徴情報を更新する更新手段と、
を備えたことを特徴とする生体認証システム。
【請求項８】
異なる複数の環境条件及び異なる複数の押圧条件において複数の指紋特徴情報、指の温度情報、及び指の水分量情報を登録する登録手段と、
前記登録手段により登録された複数の指紋特徴情報、指の温度情報、及び指の水分量情報を取得する取得手段と、
認証対象者から指紋特徴情報、指の温度情報、及び指の水分量情報を読み取る読取手段と、
前記取得手段により取得された登録済みの複数の指紋特徴情報と前記読取手段により読み取られた指紋特徴情報とを比較し、少なくとも一つの登録済み指紋特徴情報と読み取られた指紋特徴情報との類似度が所定の閾値より高いことを条件として、前記認証対象者を認証する認証手段と、
前記認証手段により認証されたことを条件として、前記読取手段により読み取られた指の温度情報及び指の水分量情報に基づいて類似する登録済み指紋特量情報を検索し、読み取られた指紋特徴情報に含まれる特徴点の数と検索された登録済み指紋特徴情報に含まれる特徴点の数とを比較し、読み取られた指紋特徴情報に含まれる特徴点の数が検索された登録済み指紋特徴情報に含まれる特徴点の数より多いことに基づいて読み取られた指紋特徴情報により検索された登録済み指紋特徴情報を更新する更新手段と、
を備えたことを特徴とする生体認証システム。
【請求項９】
異なる複数の環境条件において登録された複数の生体特徴情報を取得し、
認証対象者から生体特徴情報を読み取り、
前記取得された登録済みの複数の生体特徴情報と前記読み取られた生体特徴情報とを比較し、少なくとも一つの登録済み生体特徴情報と読み取られた生体特徴情報との類似度が所定の閾値より高いことを条件として、前記認証対象者を認証する、
ことを特徴とする生体認証方法。
【請求項１０】
異なる複数の環境条件及び異なる複数の押圧条件において登録された複数の指紋特徴情報を取得し、
認証対象者から指紋特徴情報を読み取り、
前記取得された登録済みの複数の指紋特徴情報と前記読み取られた指紋特徴情報とを比較し、少なくとも一つの登録済み指紋特徴情報と読み取られた指紋特徴情報との類似度が所定の閾値より高いことを条件として、前記認証対象者を認証する、
ことを特徴とする生体認証方法。
【請求項１１】
異なる複数の環境条件及び異なる複数の押圧条件において登録された複数の指紋特徴情報、指の温度情報、及び指の水分量情報を取得し、
認証対象者から指紋特徴情報、指の温度情報、及び指の水分量情報を読み取り、
前記取得された登録済みの複数の指紋特徴情報と前記読み取られた指紋特徴情報とを比較し、少なくとも一つの登録済み指紋特徴情報と読み取られた指紋特徴情報との類似度が所定の閾値より高いことを条件として、前記認証対象者を認証し、
前記認証されたことを条件として、前記読み取られた指の温度情報及び指の水分量情報に基づいて類似する登録済み指紋特量情報を検索し、読み取られた指紋特徴情報の画質と検索された登録済み指紋特徴情報の画質とを比較し、比較結果に基づいて読み取られた指紋特徴情報により検索された登録済み指紋特徴情報を更新する、
ことを特徴とする生体認証方法。
【請求項１２】
異なる複数の環境条件及び異なる複数の押圧条件において登録された複数の指紋特徴情報、指の温度情報、及び指の水分量情報を取得し、
認証対象者から指紋特徴情報、指の温度情報、及び指の水分量情報を読み取り、
前記取得された登録済みの複数の指紋特徴情報と前記読み取られた指紋特徴情報とを比較し、少なくとも一つの登録済み指紋特徴情報と読み取られた指紋特徴情報との類似度が所定の閾値より高いことを条件として、前記認証対象者を認証し、
前記認証されたことを条件として、前記読み取られた指の温度情報及び指の水分量情報に基づいて類似する登録済み指紋特量情報を検索し、読み取られた指紋特徴情報に含まれる特徴点の数と検索された登録済み指紋特徴情報に含まれる特徴点の数とを比較し、読み取られた指紋特徴情報に含まれる特徴点の数が検索された登録済み指紋特徴情報に含まれる特徴点の数より多いことに基づいて読み取られた指紋特徴情報により検索された登録済み指紋特徴情報を更新する、
ことを特徴とする生体認証方法。
【発明の詳細な説明】
【技術分野】
【０００１】
本発明は、認証対象者から取得した生体特徴データと登録済み生体特徴データとを照合し、照合結果に基づき認証対象者を認証する生体認証装置、生体認証システム、生体認証方法に関する。
【背景技術】
【０００２】
近年、個人をより正確に識別することが可能な技術が強く要望されている。一般的に、個人を識別する上で、指紋情報が利用されることが知られている。このような指紋情報に基づく個人識別をさらに進歩させた技術が提案されている（特許文献１参照）。この技術によると、指紋情報に加えて体温や水分などの情報も使って個人を識別する。
【特許文献１】特開２００３−３２３６０６
【発明の開示】
【発明が解決しようとする課題】
【０００３】
従来の指紋情報に基づき個人を認証する認証機器は、指紋情報の登録時に、認証機器に対して適当に置かれた指から指紋情報を読み取るだけであり、特に環境条件や押圧条件の違いが意識されることはなかった。このため夏や冬等における温度や湿度の違い、指の押圧条件の違いにより、認証率にばらつきが生じていた。
【０００４】
また、認証機器は、指紋情報を一度採取し登録すると、以降、この登録した指紋情報を更新することはない。よって、悪条件下で採取された指紋情報が、継続して使用されることとなり、認証率の悪化を招いていた。
【０００５】
本発明の目的は、上記課題を解決するためになされたものであり、認証率の向上を図ることが可能な生体認証装置、生体認証システム、及び生体認証方法を提供することにある。
【課題を解決するための手段】
【０００６】
この発明の生体認証装置、生体認証システム、及び生体認証方法は、以下のように構成されている。
【０００７】
（１）この発明は、異なる複数の環境条件において登録された複数の生体特徴情報を取得する取得手段と、認証対象者から生体特徴情報を読み取る読取手段と、前記取得手段により取得された登録済みの複数の生体特徴情報と前記読取手段により読み取られた生体特徴情報とを比較し、少なくとも一つの登録済み生体特徴情報と読み取られた生体特徴情報との類似度が所定の閾値より高いことを条件として、前記認証対象者を認証する認証手段と、を備えたことを特徴とする生体認証装置である。
【０００８】
（２）この発明は、異なる複数の環境条件において複数の生体特徴情報を登録する登録手段と、前記登録手段により登録された複数の生体特徴情報を取得する取得手段と、認証対象者から生体特徴情報を読み取る読取手段と、前記取得手段により取得された登録済みの複数の生体特徴情報と前記読取手段により読み取られた生体特徴情報とを比較し、少なくとも一つの登録済み生体特徴情報と読み取られた生体特徴情報との類似度が所定の閾値より高いことを条件として、前記認証対象者を認証する認証手段と、を備えたことを特徴とする生体認証システムである。
【０００９】
（３）この発明は、異なる複数の環境条件において登録された複数の生体特徴情報を取得し、認証対象者から生体特徴情報を読み取り、前記取得された登録済みの複数の生体特徴情報と前記読み取られた生体特徴情報とを比較し、少なくとも一つの登録済み生体特徴情報と読み取られた生体特徴情報との類似度が所定の閾値より高いことを条件として、前記認証対象者を認証する、ことを特徴とする生体認証方法である。
【発明の効果】
【００１０】
本発明によれば、認証率の向上を図ることが可能な生体認証装置、生体認証システム、及び生体認証方法を提供できる。
【発明を実施するための最良の形態】
【００１１】
以下、図面を参照し、本発明の実施形態について説明する。
【００１２】
図１は、この発明の一例に係る生体認証装置の概略構成を示す図である。ここでは、免許証追記装置に適用された生体認証装置の一例について説明する。図１に示すように、生体認証装置は、情報処理部１、指紋読み取り部２、温度センサ３、水分センサ４、ＩＣカードＲ／Ｗ５を備えている。
【００１３】
ＩＣカードＲ／Ｗ５は、ＩＣカードなどの認証用デバイス６に対して情報を記録したり、またこの認証用デバイス６から情報を読み取ったりする。さらに、ＩＣカードＲ／Ｗ５は、ＩＣ免許証７に対してに対して情報を記録したり、またこのＩＣ免許証７から情報を読み取ったりする。このＩＣカードＲ／Ｗ５を介して、情報処理部１は、認証対象者（操作者）が認証されることを条件として、ＩＣ免許証７に対して情報を追記する。
【００１４】
指紋読み取り部２は、指紋登録時に指紋登録者の指紋特徴情報（生体特徴情報）を読み取る。また、この指紋読み取り部２は、認証時には認証対象者の指紋特徴情報を読み取る。温度センサ３は、指紋読み取り部２による指紋特徴情報の読み取りと並行して、指紋登録者及び認証対象者の指紋特徴情報の読み取り時の温度値を測定する。水分センサ４は、指紋読み取り部２による指紋特徴情報の読み取りと並行して、指紋登録者及び認証対象者の指の水分量を測定する。
【００１５】
次に、図２に示すフローチャートを参照して、指紋特徴情報の登録処理について説明する。
【００１６】
冷暖房装置及び加湿／除湿装置により、生体認証装置（特に指紋読み取り部２）の付近が、通常環境（例えば気温：１５〜２０℃、湿度：６０〜６５％）に設定される（ＳＴ１０１）。もしくは、指紋登録者の指の状態を通常環境での状態にする。
【００１７】
登録モードにより起動されている生体認証装置は、指紋登録者に対して、予め作成されたＩＣカードなどの認証用デバイス６をＩＣカードＲ／Ｗ５上へ載置するように、表示及び音声等により案内する。この案内に対応して、指紋登録者により認証用デバイス６がＩＣカードＲ／Ｗ５上へ載置されると（ＳＴ１０２）、ＩＣカードＲ／Ｗ５は、認証用デバイス６に記録された情報を読み取り、認証用デバイス６が載置されたことを確認し、認証用デバイス６に対して必要な情報を書き込み、指紋読み取り部２による押圧条件１での読み取り処理が開始される（ＳＴ１０３）。
【００１８】
生体認証装置は、指紋登録者に対して、指紋読み取り部２に対して指を軽く置くように、表示及び音声等により案内する。この案内に対応して、指紋読み取り部２に対して指が軽く置かれ（ａ１）、指紋読み取り部２は指紋特徴情報を読み取り（ａ２）、同時に、温度センサ３は指の温度を測定し（ａ４）、水分センサ４は指の水分量を測定する（ａ６）。
【００１９】
指紋特徴情報の読み取りに失敗すると（ａ３、ＮＯ）、生体認証装置は、指紋登録者に対して、指紋読み取り部２に対して指を軽く置き直すように、表示及び音声等により案内し、再度、指紋特徴情報の読み取りが試行される。同様に、指の温度の測定に失敗すると（ａ５、ＮＯ）、生体認証装置は、指紋登録者に対して、指紋読み取り部２に対して指を軽く置き直すように、表示及び音声等により案内し、再度、指紋特徴情報の読み取りが試行される。同様に、指の水分量の測定に失敗すると（ａ７、ＮＯ）、生体認証装置は、指紋登録者に対して、指紋読み取り部２に対して指を軽く置き直すように、表示及び音声等により案内し、再度、指紋特徴情報の読み取りが試行される。
【００２０】
指紋特徴情報の読み取りに成功し（ａ３、ＹＥＳ）、指の温度の測定に成功し（ａ５、ＹＥＳ）、指の水分量の測定に成功すると（ａ７、ＹＥＳ）、読み取られた指紋特徴情報、測定された指の温度情報、指の水分量情報が記憶される。読み取られた指紋特徴情報の信憑性をより高めるために、生体認証装置は、指紋登録者に対して、指紋読み取り部２に対して指を軽く置き直すように、表示及び音声等により案内する。この案内に対応して、指紋読み取り部２に対して指が軽く置かれると、指紋読み取り部２は指紋特徴情報を読み取る。情報処理部１は、最初に読み取った指紋特徴情報と次に読み取った指紋特徴情報とを比較し認証する（ａ８）。
【００２１】
この認証に失敗した場合（ａ９、ＮＯ）、生体認証装置は、最初の指紋特徴情報の読み取りから（ａ１、ａ２）やり直す旨を案内し、これに対応して指紋登録者は最初の指紋特徴情報の読み取りからやり直すことになる。この認証に成功した場合（ａ９、ＹＥＳ）、ＩＣカードＲ／Ｗ５は、認証用デバイス６に対して認証に成功した指紋特徴情報を記録し、さらに測定された指の温度情報、指の水分量情報もあわせて記録する（ａ１０）。
【００２２】
次に、指紋読み取り部２による押圧条件２での読み取り処理が開始される（ＳＴ１０４）。生体認証装置は、指紋登録者に対して、指紋読み取り部２に対して指を普通に置くように、表示及び音声等により案内する。この案内に対応して、指紋読み取り部２に対して指が普通に置かれ（ｂ１）、指紋読み取り部２は指紋特徴情報を読み取り（ｂ２）、同時に、温度センサ３は指の温度を測定し（ｂ４）、水分センサ４は指の水分量を測定する（ｂ６）。
【００２３】
指紋特徴情報の読み取りに失敗すると（ｂ３、ＮＯ）、生体認証装置は、指紋登録者に対して、指紋読み取り部２に対して指を普通に置き直すように、表示及び音声等により案内し、再度、指紋特徴情報の読み取りが試行される。同様に、指の温度の測定に失敗すると（ｂ５、ＮＯ）、生体認証装置は、指紋登録者に対して、指紋読み取り部２に対して指を普通に置き直すように、表示及び音声等により案内し、再度、指紋特徴情報の読み取りが試行される。同様に、指の水分量の測定に失敗すると（ｂ７、ＮＯ）、生体認証装置は、指紋登録者に対して、指紋読み取り部２に対して指を普通に置き直すように、表示及び音声等により案内し、再度、指紋特徴情報の読み取りが試行される。
【００２４】
指紋特徴情報の読み取りに成功し（ｂ３、ＹＥＳ）、指の温度の測定に成功し（ｂ５、ＹＥＳ）、指の水分量の測定に成功すると（ｂ７、ＹＥＳ）、読み取られた指紋特徴情報、測定された指の温度情報、指の水分量情報が記憶される。読み取られた指紋特徴情報の信憑性をより高めるために、生体認証装置は、指紋登録者に対して、指紋読み取り部２に対して指を普通に置き直すように、表示及び音声等により案内する。この案内に対応して、指紋読み取り部２に対して指が普通に置かれると、指紋読み取り部２は指紋特徴情報を読み取る。情報処理部１は、最初に読み取った指紋特徴情報と次に読み取った指紋特徴情報とを比較し認証する（ｂ８）。
【００２５】
この認証に失敗した場合（ｂ９、ＮＯ）、生体認証装置は、最初の指紋特徴情報の読み取りから（ｂ１、ｂ２）やり直す旨を案内し、これに対応して指紋登録者は最初の指紋特徴情報の読み取りからやり直すことになる。この認証に成功した場合（ｂ９、ＹＥＳ）、ＩＣカードＲ／Ｗ５は、認証用デバイス６に対して認証に成功した指紋特徴情報を記録し、さらに測定された指の温度情報、指の水分量情報もあわせて記録する（ｂ１０）。
【００２６】
次に、指紋読み取り部２による押圧条件３での読み取り処理が開始される（ＳＴ１０５）。生体認証装置は、指紋登録者に対して、指紋読み取り部２に対して指を強く押し付けるように、表示及び音声等により案内する。この案内に対応して、指紋読み取り部２に対して指が強く押し付けられ（ｃ１）、指紋読み取り部２は指紋特徴情報を読み取り（ｃ２）、同時に、温度センサ３は指の温度を測定し（ｃ４）、水分センサ４は指の水分量を測定する（ｃ６）。
【００２７】
指紋特徴情報の読み取りに失敗すると（ｃ３、ＮＯ）、生体認証装置は、指紋登録者に対して、指紋読み取り部２に対して指を強く押し付け直すように、表示及び音声等により案内し、再度、指紋特徴情報の読み取りが試行される。同様に、指の温度の測定に失敗すると（ｃ５、ＮＯ）、生体認証装置は、指紋登録者に対して、指紋読み取り部２に対して指を強く押し付け直すように、表示及び音声等により案内し、再度、指紋特徴情報の読み取りが試行される。同様に、指の水分量の測定に失敗すると（ｃ７、ＮＯ）、生体認証装置は、指紋登録者に対して、指紋読み取り部２に対して指を強く押し付け直すように、表示及び音声等により案内し、再度、指紋特徴情報の読み取りが試行される。
【００２８】
指紋特徴情報の読み取りに成功し（ｃ３、ＹＥＳ）、指の温度の測定に成功し（ｃ５、ＹＥＳ）、指の水分量の測定に成功すると（ｃ７、ＹＥＳ）、読み取られた指紋特徴情報、測定された指の温度情報、指の水分量情報が記憶される。読み取られた指紋特徴情報の信憑性をより高めるために、生体認証装置は、指紋登録者に対して、指紋読み取り部２に対して指を強く押し付け直すように、表示及び音声等により案内する。この案内に対応して、指紋読み取り部２に対して指が強く押し付けられると、指紋読み取り部２は指紋特徴情報を読み取る。情報処理部１は、最初に読み取った指紋特徴情報と次に読み取った指紋特徴情報とを比較し認証する（ｃ８）。
【００２９】
この認証に失敗した場合（ｃ９、ＮＯ）、生体認証装置は、最初の指紋特徴情報の読み取りから（ｃ１、ｃ２）やり直す旨を案内し、これに対応して指紋登録者は最初の指紋特徴情報の読み取りからやり直すことになる。この認証に成功した場合（ｃ９、ＹＥＳ）、ＩＣカードＲ／Ｗ５は、認証用デバイス６に対して認証に成功した指紋特徴情報を記録し、さらに測定された指の温度情報、指の水分量情報もあわせて記録する（ｃ１０）。
【００３０】
これまでの通常環境（例えば気温：１５〜２０℃、湿度：６０〜６５％）における押圧条件１での読み取り処理（ＳＴ１０３）、押圧条件２での読み取り処理（ＳＴ１０４）、及び押圧条件３での読み取り処理（ＳＴ１０５）により、認証用デバイス６には、異なる３つの押圧条件で得られた３つの指情報（各指情報は、指紋特徴情報、指の温度情報、指の水分量情報を含む）が記録されている。
【００３１】
続いて、環境条件が変更される。例えば、冷暖房装置及び加湿／除湿装置により、生体認証装置（特に指紋読み取り部２）の付近が、高温多湿環境（例えば気温：２５〜３０℃、湿度：７０〜７５％）に設定される（ＳＴ１０６）。もしくは、指紋登録者の指の状態を高温多湿環境での状態にする。その上で、指紋読み取り部２による押圧条件１での読み取り処理が開始される（ＳＴ１０７）。
【００３２】
生体認証装置は、指紋登録者に対して、指紋読み取り部２に対して指を軽く置くように、表示及び音声等により案内する。この案内に対応して、指紋読み取り部２に対して指が軽く置かれ（ａ１）、指紋読み取り部２は指紋特徴情報を読み取り（ａ２）、同時に、温度センサ３は指の温度を測定し（ａ４）、水分センサ４は指の水分量を測定する（ａ６）。
【００３３】
指紋特徴情報の読み取りに失敗すると（ａ３、ＮＯ）、生体認証装置は、指紋登録者に対して、指紋読み取り部２に対して指を軽く置き直すように、表示及び音声等により案内し、再度、指紋特徴情報の読み取りが試行される。同様に、指の温度の測定に失敗すると（ａ５、ＮＯ）、生体認証装置は、指紋登録者に対して、指紋読み取り部２に対して指を軽く置き直すように、表示及び音声等により案内し、再度、指紋特徴情報の読み取りが試行される。同様に、指の水分量の測定に失敗すると（ａ７、ＮＯ）、生体認証装置は、指紋登録者に対して、指紋読み取り部２に対して指を軽く置き直すように、表示及び音声等により案内し、再度、指紋特徴情報の読み取りが試行される。
【００３４】
指紋特徴情報の読み取りに成功し（ａ３、ＹＥＳ）、指の温度の測定に成功し（ａ５、ＹＥＳ）、指の水分量の測定に成功すると（ａ７、ＹＥＳ）、読み取られた指紋特徴情報、測定された指の温度情報、指の水分量情報が記憶される。読み取られた指紋特徴情報の信憑性をより高めるために、生体認証装置は、指紋登録者に対して、指紋読み取り部２に対して指を軽く置き直すように、表示及び音声等により案内する。この案内に対応して、指紋読み取り部２に対して指が軽く置かれると、指紋読み取り部２は指紋特徴情報を読み取る。情報処理部１は、最初に読み取った指紋特徴情報と次に読み取った指紋特徴情報とを比較し認証する（ａ８）。
【００３５】
この認証に失敗した場合（ａ９、ＮＯ）、生体認証装置は、最初の指紋特徴情報の読み取りから（ａ１、ａ２）やり直す旨を案内し、これに対応して指紋登録者は最初の指紋特徴情報の読み取りからやり直すことになる。この認証に成功した場合（ａ９、ＹＥＳ）、ＩＣカードＲ／Ｗ５は、認証用デバイス６に対して認証に成功した指紋特徴情報を記録し、さらに測定された指の温度情報、指の水分量情報もあわせて記録する（ａ１０）。
【００３６】
次に、指紋読み取り部２による押圧条件２での読み取り処理が開始される（ＳＴ１０８）。生体認証装置は、指紋登録者に対して、指紋読み取り部２に対して指を普通に置くように、表示及び音声等により案内する。この案内に対応して、指紋読み取り部２に対して指が普通に置かれ（ｂ１）、指紋読み取り部２は指紋特徴情報を読み取り（ｂ２）、同時に、温度センサ３は指の温度を測定し（ｂ４）、水分センサ４は指の水分量を測定する（ｂ６）。
【００３７】
指紋特徴情報の読み取りに失敗すると（ｂ３、ＮＯ）、生体認証装置は、指紋登録者に対して、指紋読み取り部２に対して指を普通に置き直すように、表示及び音声等により案内し、再度、指紋特徴情報の読み取りが試行される。同様に、指の温度の測定に失敗すると（ｂ５、ＮＯ）、生体認証装置は、指紋登録者に対して、指紋読み取り部２に対して指を普通に置き直すように、表示及び音声等により案内し、再度、指紋特徴情報の読み取りが試行される。同様に、指の水分量の測定に失敗すると（ｂ７、ＮＯ）、生体認証装置は、指紋登録者に対して、指紋読み取り部２に対して指を普通に置き直すように、表示及び音声等により案内し、再度、指紋特徴情報の読み取りが試行される。
【００３８】
指紋特徴情報の読み取りに成功し（ｂ３、ＹＥＳ）、指の温度の測定に成功し（ｂ５、ＹＥＳ）、指の水分量の測定に成功すると（ｂ７、ＹＥＳ）、読み取られた指紋特徴情報、測定された指の温度情報、指の水分量情報が記憶される。読み取られた指紋特徴情報の信憑性をより高めるために、生体認証装置は、指紋登録者に対して、指紋読み取り部２に対して指を普通に置き直すように、表示及び音声等により案内する。この案内に対応して、指紋読み取り部２に対して指が普通に置かれると、指紋読み取り部２は指紋特徴情報を読み取る。情報処理部１は、最初に読み取った指紋特徴情報と次に読み取った指紋特徴情報とを比較し認証する（ｂ８）。
【００３９】
この認証に失敗した場合（ｂ９、ＮＯ）、生体認証装置は、最初の指紋特徴情報の読み取りから（ｂ１、ｂ２）やり直す旨を案内し、これに対応して指紋登録者は最初の指紋特徴情報の読み取りからやり直すことになる。この認証に成功した場合（ｂ９、ＹＥＳ）、ＩＣカードＲ／Ｗ５は、認証用デバイス６に対して認証に成功した指紋特徴情報を記録し、さらに測定された指の温度情報、指の水分量情報もあわせて記録する（ｂ１０）。
【００４０】
次に、指紋読み取り部２による押圧条件３での読み取り処理が開始される（ＳＴ１０９）。生体認証装置は、指紋登録者に対して、指紋読み取り部２に対して指を強く押し付けるように、表示及び音声等により案内する。この案内に対応して、指紋読み取り部２に対して指が強く押し付けられ（ｃ１）、指紋読み取り部２は指紋特徴情報を読み取り（ｃ２）、同時に、温度センサ３は指の温度を測定し（ｃ４）、水分センサ４は指の水分量を測定する（ｃ６）。
【００４１】
指紋特徴情報の読み取りに失敗すると（ｃ３、ＮＯ）、生体認証装置は、指紋登録者に対して、指紋読み取り部２に対して指を強く押し付け直すように、表示及び音声等により案内し、再度、指紋特徴情報の読み取りが試行される。同様に、指の温度の測定に失敗すると（ｃ５、ＮＯ）、生体認証装置は、指紋登録者に対して、指紋読み取り部２に対して指を強く押し付け直すように、表示及び音声等により案内し、再度、指紋特徴情報の読み取りが試行される。同様に、指の水分量の測定に失敗すると（ｃ７、ＮＯ）、生体認証装置は、指紋登録者に対して、指紋読み取り部２に対して指を強く押し付け直すように、表示及び音声等により案内し、再度、指紋特徴情報の読み取りが試行される。
【００４２】
指紋特徴情報の読み取りに成功し（ｃ３、ＹＥＳ）、指の温度の測定に成功し（ｃ５、ＹＥＳ）、指の水分量の測定に成功すると（ｃ７、ＹＥＳ）、読み取られた指紋特徴情報、測定された指の温度情報、指の水分量情報が記憶される。読み取られた指紋特徴情報の信憑性をより高めるために、生体認証装置は、指紋登録者に対して、指紋読み取り部２に対して指を強く押し付け直すように、表示及び音声等により案内する。この案内に対応して、指紋読み取り部２に対して指が強く押し付けられると、指紋読み取り部２は指紋特徴情報を読み取る。情報処理部１は、最初に読み取った指紋特徴情報と次に読み取った指紋特徴情報とを比較し認証する（ｃ８）。
【００４３】
この認証に失敗した場合（ｃ９、ＮＯ）、生体認証装置は、最初の指紋特徴情報の読み取りから（ｃ１、ｃ２）やり直す旨を案内し、これに対応して指紋登録者は最初の指紋特徴情報の読み取りからやり直すことになる。この認証に成功した場合（ｃ９、ＹＥＳ）、ＩＣカードＲ／Ｗ５は、認証用デバイス６に対して認証に成功した指紋特徴情報を記録し、さらに測定された指の温度情報、指の水分量情報もあわせて記録する（ｃ１０）。
【００４４】
これまでの高温多湿環境（例えば気温：２５〜３０℃、湿度：７０〜７５％）における押圧条件１での読み取り処理（ＳＴ１０７）、押圧条件２での読み取り処理（ＳＴ１０８）、及び押圧条件３での読み取り処理（ＳＴ１０９）により、認証用デバイス６には、さらに、異なる３つの押圧条件で得られた３つの指情報（各指情報は、指紋特徴情報、指の温度情報、指の水分量情報を含む）が記録されている。
【００４５】
続いて、環境条件が変更される。例えば、冷暖房装置及び加湿／除湿装置により、生体認証装置（特に指紋読み取り部２）の付近が、低温低湿環境（例えば気温：５〜１０℃、湿度：５０〜５５％）に設定される（ＳＴ１１０）。もしくは、指紋登録者の指の状態を高温多湿環境での状態にする。その上で、指紋読み取り部２による押圧条件１での読み取り処理が開始される（ＳＴ１１１）。
【００４６】
生体認証装置は、指紋登録者に対して、指紋読み取り部２に対して指を軽く置くように、表示及び音声等により案内する。この案内に対応して、指紋読み取り部２に対して指が軽く置かれ（ａ１）、指紋読み取り部２は指紋特徴情報を読み取り（ａ２）、同時に、温度センサ３は指の温度を測定し（ａ４）、水分センサ４は指の水分量を測定する（ａ６）。
【００４７】
指紋特徴情報の読み取りに失敗すると（ａ３、ＮＯ）、生体認証装置は、指紋登録者に対して、指紋読み取り部２に対して指を軽く置き直すように、表示及び音声等により案内し、再度、指紋特徴情報の読み取りが試行される。同様に、指の温度の測定に失敗すると（ａ５、ＮＯ）、生体認証装置は、指紋登録者に対して、指紋読み取り部２に対して指を軽く置き直すように、表示及び音声等により案内し、再度、指紋特徴情報の読み取りが試行される。同様に、指の水分量の測定に失敗すると（ａ７、ＮＯ）、生体認証装置は、指紋登録者に対して、指紋読み取り部２に対して指を軽く置き直すように、表示及び音声等により案内し、再度、指紋特徴情報の読み取りが試行される。
【００４８】
指紋特徴情報の読み取りに成功し（ａ３、ＹＥＳ）、指の温度の測定に成功し（ａ５、ＹＥＳ）、指の水分量の測定に成功すると（ａ７、ＹＥＳ）、読み取られた指紋特徴情報、測定された指の温度情報、指の水分量情報が記憶される。読み取られた指紋特徴情報の信憑性をより高めるために、生体認証装置は、指紋登録者に対して、指紋読み取り部２に対して指を軽く置き直すように、表示及び音声等により案内する。この案内に対応して、指紋読み取り部２に対して指が軽く置かれると、指紋読み取り部２は指紋特徴情報を読み取る。情報処理部１は、最初に読み取った指紋特徴情報と次に読み取った指紋特徴情報とを比較し認証する（ａ８）。
【００４９】
この認証に失敗した場合（ａ９、ＮＯ）、生体認証装置は、最初の指紋特徴情報の読み取りから（ａ１、ａ２）やり直す旨を案内し、これに対応して指紋登録者は最初の指紋特徴情報の読み取りからやり直すことになる。この認証に成功した場合（ａ９、ＹＥＳ）、ＩＣカードＲ／Ｗ５は、認証用デバイス６に対して認証に成功した指紋特徴情報を記録し、さらに測定された指の温度情報、指の水分量情報もあわせて記録する（ａ１０）。
【００５０】
次に、指紋読み取り部２による押圧条件２での読み取り処理が開始される（ＳＴ１１２）。生体認証装置は、指紋登録者に対して、指紋読み取り部２に対して指を普通に置くように、表示及び音声等により案内する。この案内に対応して、指紋読み取り部２に対して指が普通に置かれ（ｂ１）、指紋読み取り部２は指紋特徴情報を読み取り（ｂ２）、同時に、温度センサ３は指の温度を測定し（ｂ４）、水分センサ４は指の水分量を測定する（ｂ６）。
【００５１】
指紋特徴情報の読み取りに失敗すると（ｂ３、ＮＯ）、生体認証装置は、指紋登録者に対して、指紋読み取り部２に対して指を普通に置き直すように、表示及び音声等により案内し、再度、指紋特徴情報の読み取りが試行される。同様に、指の温度の測定に失敗すると（ｂ５、ＮＯ）、生体認証装置は、指紋登録者に対して、指紋読み取り部２に対して指を普通に置き直すように、表示及び音声等により案内し、再度、指紋特徴情報の読み取りが試行される。同様に、指の水分量の測定に失敗すると（ｂ７、ＮＯ）、生体認証装置は、指紋登録者に対して、指紋読み取り部２に対して指を普通に置き直すように、表示及び音声等により案内し、再度、指紋特徴情報の読み取りが試行される。
【００５２】
指紋特徴情報の読み取りに成功し（ｂ３、ＹＥＳ）、指の温度の測定に成功し（ｂ５、ＹＥＳ）、指の水分量の測定に成功すると（ｂ７、ＹＥＳ）、読み取られた指紋特徴情報、測定された指の温度情報、指の水分量情報が記憶される。読み取られた指紋特徴情報の信憑性をより高めるために、生体認証装置は、指紋登録者に対して、指紋読み取り部２に対して指を普通に置き直すように、表示及び音声等により案内する。この案内に対応して、指紋読み取り部２に対して指が普通に置かれると、指紋読み取り部２は指紋特徴情報を読み取る。情報処理部１は、最初に読み取った指紋特徴情報と次に読み取った指紋特徴情報とを比較し認証する（ｂ８）。
【００５３】
この認証に失敗した場合（ｂ９、ＮＯ）、生体認証装置は、最初の指紋特徴情報の読み取りから（ｂ１、ｂ２）やり直す旨を案内し、これに対応して指紋登録者は最初の指紋特徴情報の読み取りからやり直すことになる。この認証に成功した場合（ｂ９、ＹＥＳ）、ＩＣカードＲ／Ｗ５は、認証用デバイス６に対して認証に成功した指紋特徴情報を記録し、さらに測定された指の温度情報、指の水分量情報もあわせて記録する（ｂ１０）。
【００５４】
次に、指紋読み取り部２による押圧条件３での読み取り処理が開始される（ＳＴ１１３）。生体認証装置は、指紋登録者に対して、指紋読み取り部２に対して指を強く押し付けるように、表示及び音声等により案内する。この案内に対応して、指紋読み取り部２に対して指が強く押し付けられ（ｃ１）、指紋読み取り部２は指紋特徴情報を読み取り（ｃ２）、同時に、温度センサ３は指の温度を測定し（ｃ４）、水分センサ４は指の水分量を測定する（ｃ６）。
【００５５】
指紋特徴情報の読み取りに失敗すると（ｃ３、ＮＯ）、生体認証装置は、指紋登録者に対して、指紋読み取り部２に対して指を強く押し付け直すように、表示及び音声等により案内し、再度、指紋特徴情報の読み取りが試行される。同様に、指の温度の測定に失敗すると（ｃ５、ＮＯ）、生体認証装置は、指紋登録者に対して、指紋読み取り部２に対して指を強く押し付け直すように、表示及び音声等により案内し、再度、指紋特徴情報の読み取りが試行される。同様に、指の水分量の測定に失敗すると（ｃ７、ＮＯ）、生体認証装置は、指紋登録者に対して、指紋読み取り部２に対して指を強く押し付け直すように、表示及び音声等により案内し、再度、指紋特徴情報の読み取りが試行される。
【００５６】
指紋特徴情報の読み取りに成功し（ｃ３、ＹＥＳ）、指の温度の測定に成功し（ｃ５、ＹＥＳ）、指の水分量の測定に成功すると（ｃ７、ＹＥＳ）、読み取られた指紋特徴情報、測定された指の温度情報、指の水分量情報が記憶される。読み取られた指紋特徴情報の信憑性をより高めるために、生体認証装置は、指紋登録者に対して、指紋読み取り部２に対して指を強く押し付け直すように、表示及び音声等により案内する。この案内に対応して、指紋読み取り部２に対して指が強く押し付けられると、指紋読み取り部２は指紋特徴情報を読み取る。情報処理部１は、最初に読み取った指紋特徴情報と次に読み取った指紋特徴情報とを比較し認証する（ｃ８）。
【００５７】
この認証に失敗した場合（ｃ９、ＮＯ）、生体認証装置は、最初の指紋特徴情報の読み取りから（ｃ１、ｃ２）やり直す旨を案内し、これに対応して指紋登録者は最初の指紋特徴情報の読み取りからやり直すことになる。この認証に成功した場合（ｃ９、ＹＥＳ）、ＩＣカードＲ／Ｗ５は、認証用デバイス６に対して認証に成功した指紋特徴情報を記録し、さらに測定された指の温度情報、指の水分量情報もあわせて記録する（ｃ１０）。
【００５８】
これまでの低温低湿環境（例えば気温：５〜１０℃、湿度：５０〜５５％）における押圧条件１での読み取り処理（ＳＴ１１１）、押圧条件２での読み取り処理（ＳＴ１１２）、及び押圧条件３での読み取り処理（ＳＴ１１３）により、認証用デバイス６には、さらに、異なる３つの押圧条件で得られた３つの指情報（各指情報は、指紋特徴情報、指の温度情報、指の水分量情報を含む）が記録されている。
【００５９】
以上により、通常環境（例えば気温：１５〜２０℃、湿度：６０〜６５％）における押圧条件１での読み取り処理（ＳＴ１０３）、押圧条件２での読み取り処理（ＳＴ１０４）、及び押圧条件３での読み取り処理（ＳＴ１０５）、高温多湿環境（例えば気温：２５〜３０℃、湿度：７０〜７５％）における押圧条件１での読み取り処理（ＳＴ１０７）、押圧条件２での読み取り処理（ＳＴ１０８）、及び押圧条件３での読み取り処理（ＳＴ１０９）、低温低湿環境（例えば気温：５〜１０℃、湿度：５０〜５５％）における押圧条件１での読み取り処理（ＳＴ１１１）、押圧条件２での読み取り処理（ＳＴ１１２）、及び押圧条件３での読み取り処理（ＳＴ１１３）により、認証用デバイス６には、３つの異なる環境条件及び３つの異なる押圧条件で得られたトータル９つの指情報（指情報は、指紋特徴情報、指の温度情報、指の水分量情報を含む）が記録されている。
【００６０】
次に、図３に示すフローチャートを参照して、指紋特徴情報に基づく認証処理について説明する。
【００６１】
認証モードにより起動されている生体認証装置は、認証対象者（操作者）に対して、認証処理を行なうために、ＩＣカード等の認証用デバイス６をＩＣカードＲ／Ｗ５上へ載置するように、表示及び音声等により案内する。この案内に対応して、認証対象者（操作者）により認証用デバイス６がＩＣカードＲ／Ｗ５上へ載置されると、ＩＣカードＲ／Ｗ５は、認証用デバイス６に記録された情報を読み取り、認証用デバイス６が載置されたことを確認する。
【００６２】
続けて、生体認証装置は、認証対象者（操作者）に対して、認証用デバイス６のＰＩＮ(personal identification number)の入力を促すメッセージを出力する(ＳＴ２０１）。このメッセージに対応してＰＩＮが入力されると(ＳＴ２０２）、認証用デバイス６により入力されたＰＩＮが照合される(ＳＴ２０３）。ＰＩＮ照合に失敗すると、つまりＰＩＮが誤っている場合には(ＳＴ２０４、ＮＯ)、再度、ＰＩＮ入力を促すメッセージが出力される(ＳＴ２０２）。ＰＩＮ照合に成功すると(ＳＴ２０４、ＹＥＳ)、認証用デバイス６に登録された９つの指情報（指情報は、指紋特徴情報、指の温度情報、指の水分量情報を含む）が読み取られる(ＳＴ２０５）。
【００６３】
続けて、生体認証装置は、認証対象者（操作者）に対して、指紋読み取り部２に対して指を置くように、表示及び音声等により案内する(ＳＴ２０６）。この案内に対応して、指紋読み取り部２に対して指が軽く置かれ（ＳＴ２０７）、指紋読み取り部２は指紋特徴情報を読み取り（ＳＴ２０８）、同時に、温度センサ３は指の温度を測定し（ＳＴ２１０）、水分センサ４は指の水分量を測定する（ＳＴ２１２）。
【００６４】
指紋特徴情報の読み取りに失敗すると(ＳＴ２０９、ＮＯ)、生体認証装置は、指紋登録者に対して、指紋読み取り部２に対して指を置き直すように、表示及び音声等により案内し、再度、指紋特徴情報の読み取りが試行される。同様に、指の温度の測定に失敗すると(ＳＴ２１１、ＮＯ）、生体認証装置は、指紋登録者に対して、指紋読み取り部２に対して指を置き直すように、表示及び音声等により案内し、再度、指紋特徴情報の読み取りが試行される。同様に、指の水分量の測定に失敗すると(ＳＴ２１３、ＮＯ)、生体認証装置は、指紋登録者に対して、指紋読み取り部２に対して指を置き直すように、表示及び音声等により案内し、再度、指紋特徴情報の読み取りが試行される。
【００６５】
指紋特徴情報の読み取りに成功し(ＳＴ２０９、ＹＥＳ)、指の温度の測定に成功し(ＳＴ２１１、ＹＥＳ)、指の水分量の測定に成功すると(ＳＴ２１３、ＹＥＳ）、読み取られた指紋特徴情報、測定された指の温度情報、指の水分量情報が記憶される。情報処理部１は、指紋読み取り部２により認証対象者から読み取った指紋特徴情報と、ＩＣカードＲ／Ｗ５により認証用デバイス６から読み取った指情報に含まれる９つの指紋特徴情報とを比較し、認証用デバイス６に登録されている９つの指紋特徴情報のうちの少なくとも１つの指紋特徴情報と、認証対象者から読み取った指紋特徴情報との類似度が所定の閾値より高いことを条件として、この認証対象者を認証する(ＳＴ２１４）。例えば、認証用デバイス６に登録されている指紋特徴情報と認証対象者から読み取った指紋特徴情報とを順番に比較し、類似度が所定の閾値より高い場合に比較処理を終了し認証成功とする(ＳＴ２１５、ＳＴ２１６、ＳＴ２１１７)。上記した類似度の条件を満たすことができない場合には、認証失敗となる。
【００６６】
認証に成功すると、情報処理部１は、ＳＴ２１０及びＳＴ２１２により読み取られた指の温度情報及び指の水分量情報に基づいて、類似する登録済み指紋特量情報を検索する(ＳＴ２１８）。つまり、認証時の指の状態に似た状態で登録された指紋特量情報があるか否かが検索される。認証時の指の状態に似た状態で登録された指紋特量情報がある場合には(ＳＴ２１９、ＹＥＳ)、情報処理部１は、ＳＴ２０８により読み取られた指紋特徴情報の画質と検索された登録済み指紋特徴情報の画質とを比較し(ＳＴ２２０）、比較結果に基づいて(ＳＴ２２１、ＹＥＳ)、ＳＴ２０８により読み取られた指紋特徴情報により検索された登録済み指紋特徴情報を更新する(ＳＴ２２２）。つまり、ＳＴ２０８により読み取られた指紋特徴情報の画質が、検索された登録済み指紋特徴情報の画質より、高画質の場合に、ＳＴ２０８により読み取られた指紋特徴情報により検索された登録済み指紋特徴情報を更新する。最後に、認証後の画面へ遷移する(ＳＴ２２３）。
【００６７】
より具体的な例を挙げると、情報処理部１は、ＳＴ２０８により読み取られた指紋特徴情報に含まれる特徴点の数と検索された登録済み指紋特徴情報に含まれる特徴点の数とを比較し、ＳＴ２０８により読み取られた指紋特徴情報に含まれる特徴点の数が検索された登録済み指紋特徴情報に含まれる特徴点の数より多いことに基づいて、ＳＴ２０８により読み取られた指紋特徴情報により検索された登録済み指紋特徴情報を更新する。
【００６８】
以下に、本発明のポイントについてまとめる。
【００６９】
（１）本発明の生体認証装置は、指紋特徴情報の登録時に、多用な環境、多用な指の設置状況で指紋特徴情報を読み取る。より具体的には、通常の環境、温度・湿度が高い環境、温度・湿度が低い環境を準備し、それぞれの環境で指紋読み取り部２へ軽く指を置いた状態、普通に指を置いた状態、強く指を押し付けた状態で指紋特徴情報を採取する。同時に指紋読み取り部に設置された温度センサ３、水分センサ４により測定した、指の温度、指の水分量を採取する。採取した指紋特徴情報を使用し、指紋認証をそれぞれの環境で行い、合格となった場合のみ登録する。これにより、各種環境、各種指の置き方の指紋特徴情報が蓄積される事により、認証率の向上が図られる。
【００７０】
（２）本発明の生体認証装置は、各種環境、各種指の置き方で登録された指紋特徴情報を元に指紋認証を行う。指紋認証が成功した場合、読み取った指紋特徴情報と登録済みの指紋特徴情報と比較し、読み取った指紋特徴情報の画質値が、同様の環境で登録された指紋特徴情報より画質値より高い場合、この読み取った指紋特徴情報により、同様の環境で登録されている指紋特徴情報を更新する。これにより、好条件の指紋特徴情報を確保し続けることにより、認証率の向上及び安定化が図られる。
【００７１】
さらに、次のような条件により、より優れた生体認証装置を提供することが可能となる。例えば、図２のフローチャートを参照して説明した登録処理における、最初に読み取った指紋特徴情報と次に読み取った指紋特徴情報との認証処理（ａ８、ｂ８、ｃ８）の閾値を第１のレベルと仮定する。つまり、最初に読み取った指紋特徴情報と次に読み取った指紋特徴情報との類似度が第１のレベルより高ければ、認証成功となる。これに対して、図３のフローチャートを参照して説明した認証処理における、認証対象者から読み取った指紋特徴情報と認証用デバイス６から読み取った指紋特徴情報との認証処理(ＳＴ２１４〜ＳＴ２１７）の閾値を第２のレベルと仮定する。つまり、認証対象者から読み取った指紋特徴情報と認証用デバイス６から読み取った指紋特徴情報との類似度が第２のレベルより高ければ、認証成功となる。さらに、第１のレベルより第２のレベルを低く設定する。つまり、登録時は高い類似度を要求し、認証時にはやや低い類似度を要求する。これにより、登録時には、より正確な指紋特徴情報を登録することができ、認証時には、誤認証を減らすことができる（正規の認証対象者であるにもかかわらず認証エラーとなるのを防止することができる）。
【００７２】
また、生体認証装置の指紋読み取り部２に対して押圧センサを設けて、指紋読み取り部２に対して置かれる指の圧力を測定し、この測定した指の圧力情報を指情報に加えて、管理するようにしてもよい。つまり、ＩＣカード等の認証用デバイス６には、指紋特徴情報、指の温度情報、指の水分量情報、指の圧力情報を含む指情報（例えば９個の指情報）が登録される。これにより、例えば、図３のフローチャートを参照して説明した認証処理において、認証対象者から指紋特徴情報を読み取る際の指の圧力情報に基づいて、同程度の指の圧力で登録された登録済みの指紋特徴情報を優先的に選択して、照合することにより、照合時間の短縮を図ることができる。
【００７３】
なお、本願発明は、上記実施形態に限定されるものではなく、実施段階ではその要旨を逸脱しない範囲で種々に変形することが可能である。また、各実施形態は可能な限り適宜組み合わせて実施してもよく、その場合組み合わせた効果が得られる。更に、上記実施形態には種々の段階の発明が含まれており、開示される複数の構成要件における適当な組み合わせにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成が発明として抽出され得る。
【図面の簡単な説明】
【００７４】
【図１】この発明の一例に係る生体認証装置の概略構成を示す図である。
【図２】指紋特徴情報の登録処理を説明するフローチャートである。
【図３】指紋特徴情報に基づく認証処理を説明するフローチャートである。
【符号の説明】
【００７５】
１…情報処理部、２…指紋読み取り部、３…温度センサ、４…水分センサ、５…ＩＣカードＲ／Ｗ５
【図１】
2006285768.tif 000003
【図２】
2006285768.tif 000004
【図３】
2006285768.tif 000005